(57)【要約】【課題】球タンクを遊技機の高さ方向中間部位に配設して、遊技機からのその下方へ回収される遊技球を球タンクまで揚送するように、遊技球の揚送構成をコンパクトにしてなる遊技球循環型遊技システムを提供する。【解決手段】球タンク５０は、パチンコ遊技機Ｓ１の遊技機本体２０の後面側上下方向中央部に設けられている。【選択図】図１０
2013111307.tif 000002
【特許請求の範囲】
【請求項１】
球発射装置から発射される遊技球を再び前記球発射装置に戻るように循環させる遊技球循環型遊技システムに適用されて、前記球発射装置及び球タンクを有する遊技機本体を具備してなる遊技機において、
前記球タンクは、前記遊技機本体の高さ方向中間部位に対応して位置するように設けられていることを特徴とする遊技球循環型遊技システムのための遊技機。
【請求項２】
前記球タンクは、前記遊技機本体の後側にて、当該遊技機本体の高さ方向中央或いはその下方に対応して位置するように設けられていることを特徴とする請求項１に記載の遊技球循環型遊技システムのための遊技機。
【請求項３】
前記球タンクから流下する遊技球を順次払い出す払い出し手段と、
この払い出し手段の下方に配設されて当該払い出し手段から払い出される各遊技球を案内する通路部材と、
当該通路部材から案内される各遊技球を前記球発射装置に送るように順次導入する球送り装置とを備えていることを特徴とする請求項１または２に記載の遊技球循環型遊技システムのための遊技機。
【請求項４】
請求項１〜３のいずれか１つに記載の遊技機本体の遊技盤の下部に設けたアウト口から排出される遊技球を前記球タンクへ移送する移送手段を設けてなる球移送装置を具備する遊技球循環型遊技システム。
【発明の詳細な説明】
【技術分野】
【０００１】
本発明は、遊技球循環型遊技システムのための遊技機及び遊技球循環型遊技システムに関する。
【背景技術】
【０００２】
従来、この種の遊技球循環型遊技システムの例としては、下記特許文献１に記載のパチンコ遊技機が提案されている。当該パチンコ遊技機は、遊技台、球貸機及び球移送装置でもって構成されている。
【０００３】
ここで、球移送装置は、上部タンク、下部タンク及び球搬送機構でもって構成されており、上部タンクは、遊技台の上方に設けられて、当該遊技台から排出される特賞球及び球貸機から排出される貸球を貯留する。下部タンクは、遊技台の下方に設けられて当該遊技台から排出される球を貯留する。球搬送機構は、下部タンクに貯留されている球を上部タンクに搬送するように構成されている。
【先行技術文献】
【特許文献】
【０００４】
【特許文献１】特開平９−２９００５８号公報
【発明の概要】
【発明が解決しようとする課題】
【０００５】
しかしながら、上記構成のパチンコ遊技機によれば、球搬送機構は、上述したごとく、下部タンクに貯留されている球を上部タンクに搬送するように構成されている。
【０００６】
これでは、球が遊技台の下方から上方まで搬送されることになるため、球の搬送経路が長過ぎる。このため、球搬送機構の全長が長くなり過ぎて当該球搬送機構の構成がコンパクトにならないという不具合を招く。
【０００７】
また、上述のように球の搬送経路が長過ぎると、球が下部タンクから上部タンクに到達するのに余分な時間がかかる。このことは、下部タンク内の球が、上部タンクを通り遊技台に到達するのに余分な時間を要することを意味する。その結果、遊技台による遊技が円滑に行えないという不具合も招く。
【０００８】
また、上述のように球の搬送経路が長過ぎると、下部タンクから上部タンクに搬送する球の数が多く必要となる。このことは、当該パチンコ遊技機において遊技に必要となる球の数が多く必要とされることを意味する。
【０００９】
そこで、本発明は、以上のようなことに対処するため、球タンクを遊技機の高さ方向中間部位に配設して、遊技のための遊技球の数を多すぎないように適正数に抑制しつつ遊技機からその下方へ回収される遊技球を球タンクまで移送するように、遊技球の移送構成をコンパクトにしてなる遊技球循環型遊技システムのための遊技機及び遊技球循環型遊技システムを提供することを目的とする。
【課題を解決するための手段】
【００１０】
上記課題の解決にあたり、本発明は、請求項１の記載によれば、
球発射装置（２０ｃ）から発射される遊技球を再び球発射装置に戻るように循環させる遊技球循環型遊技システムに適用されて、球発射装置及び球タンク（５０）を有する遊技機本体（２０）を具備してなる遊技機において、
球タンクは、上記遊技機本体の高さ方向中間部位に対応して位置するように設けられていることを特徴とする遊技球循環型遊技システムのための遊技機である。
【００１１】
このように、球タンクは、遊技機本体の高さ方向中間部位に対応して位置するように設けられているので、これにあわせて、球発射装置により発射される遊技球を再び当該球発射装置に戻るように移送するべく移送手段を構成すれば、移送手段の構成をコンパクトにし得るのは勿論のこと、球タンクへの遊技球の移送距離及び移送時間を大幅に短縮することができる。このことは、球タンクへの移送遊技球を少なくすることができて、遊技に利用する遊技球の数を多すぎないように適正数に抑制し得ることを意味する。
【００１２】
また、本発明は、請求項２の記載によれば、請求項１に記載の遊技球循環型遊技システムのための遊技機において、
球タンクは、上記遊技機本体の後側にて、当該遊技機本体の高さ方向中央或いはその下方に対応して位置するように設けられていることを特徴とする。
【００１３】
これにより、請求項１に記載の発明の作用効果がより一層向上され得る。
【００１４】
また、本発明は、請求項３の記載によれば、請求項１または２に記載の遊技球循環型遊技システムのための遊技機において、
球タンクから流下する遊技球を順次払い出す払い出し手段（４０ａ）と、
この払い出し手段の下方に配設されて当該払い出し手段から払い出される各遊技球を案内する通路部材（４０ｂ、４０ｃ）と、
当該通路部材から案内される各遊技球を球発射装置（２０ｃ）に送るように順次導入する球送り装置（２０ｄ）とを備えていることを特徴とする。
【００１５】
これによれば、球タンクから払い出し手段により通路部材内に払い出される遊技球は、順次、球発射装置に送るように通路部材により球送り装置に案内される。
【００１６】
ここで、球タンクは、上述のごとく、遊技機本体の高さ方向中間部位または高さ方向中央或いはその下方に対応して位置することを前提に、遊技球が球発射装置から発射されて再び球発射装置に戻ることが速く円滑になされ得る、その結果、遊技機による遊技が円滑に行われ得る。
【００１７】
また、本発明は、請求項４の記載によれば、
請求項１〜３のいずれか１つに記載の遊技機本体の遊技盤（２０ａ）の下部に設けたアウト口（２４ａ）から排出される遊技球を球タンクへ移送する移送手段（７０）を設けてなる球移送装置（Ｓ３）を具備する遊技球循環型遊技システムである。
【００１８】
これによれば、移送手段は、遊技機の下部から排出される遊技球を球タンクへ移送する構成で済むので、当該移送手段による遊技球の移送距離及び移送時間が、遊技に利用する遊技球の数を多すぎないように適正数に抑制しつつ、短縮され得る。その結果、当該移送手段の構成がコンパクトになるのは勿論のこと、遊技機による遊技が円滑になされ得る。
【発明の効果】
【００１９】
本発明によれば、球タンクは、遊技機本体の高さ方向中間部位に対応して位置するように設けられているので、これにあわせて、球発射装置により発射される遊技球を再び当該球発射装置に戻るように移送するべく移送手段を構成すれば、移送手段の構成をコンパクトにし得るのは勿論のこと、球タンクへの遊技球の移送距離及び移送時間を、遊技に要する遊技球の数を少なくしつつ、大幅に短縮することができる。
【００２０】
なお、上記各手段の括弧内の符号は、後述する実施形態に記載の具体的手段との対応関係を示す。
【図面の簡単な説明】
【００２１】
【図１】本発明に係る遊技球循環型遊技システムの一実施形態を島に設置した状態にて、遊技機を球管理装置及び球移送装置とは分解して前面側から示す斜視図である。
【図２】図１の遊技球循環型遊技システムを、後面側から示す斜視図である。
【図３】図１の前面側から見た拡大斜視図である。
【図４】図３の遊技球循環型遊技システムを後面側から見た拡大斜視図である。
【図５】図４の遊技球循環型遊技システムの右側面図である。
【図６】図５の遊技球循環型遊技システムを、遊技機と球管理装置及び球移送装置とを分解した状態で示す分解右側面図である。
【図７】図６の遊技球循環型遊技システムを遊技機と球管理装置及び球移送装置とを分解した状態で前側から示す分解斜視図である。
【図８】図６の遊技球循環型遊技システムを遊技機と球管理装置及び球移送装置とを分解した状態で後側から示す分解斜視図である。遊技機本体の上端部に上側連結部材を取付けた状態を示す要部縦断面図である。
【図９】図６の遊技球循環型遊技システムを、遊技機と球管理装置及び球移送装置とを分解した状態で前側から示す拡大分解斜視図である。
【図１０】図６の遊技球循環型遊技システムを、遊技機と球管理装置及び球移送装置とを分解した状態で後側から示す拡大分解斜視図である。
【図１１】上記実施形態において、遊技盤の下部、球発射装置、球送り装置、ファウル球通路部材及びファウル球受け部材を前側から見た状態で示す部分拡大前面図である。
【図１２】図１１の遊技盤の下部、球発射装置、球送り装置、ファウル球通路部材及びファウル球受け部材を斜め前方から見た状態で示す部分拡大斜視図である。
【図１３】上記実施形態において、遊技盤の下部、球発射装置、球送り装置、ファウル球通路部材及びファウル球受け部材を、遊技球の逆戻り経路と共に前側から見た状態で示す部分拡大前面図である。
【図１４】上記実施形態において、遊技盤の下部、球発射装置、球送り装置、ファウル球通路部材及びファウル球受け部材を案内通路台と共に斜め前側から見た状態で示す部分拡大斜視図である。
【図１５】上記実施形態において、ファウル球受け部材２０ｇを案内通路台と共に示す斜視図である。
【図１６】上記実施形態における球発射装置の斜視図である。
【図１７】上記実施形態における球送り装置を案内通路と共に示す斜視図である。
【図１８】上記実施形態において、遊技盤を案内通路台と共に前面側から示す斜視図である。
【図１９】上記実施形態において、遊技盤を案内通路台と共に後面側から示す斜視図である。
【図２０】上記実施形態において、移送装置を、球タンク及び球払い出し装置等と共に示す拡大斜視図である。
【図２１】上記実施形態において、遊技球が案内通路台及び案内通路との関係において球払い出し装置により払い出される過程を説明するために示す斜視図である。
【図２２】上記実施形態において、球タンク及び案内通路台と共に、球払い出し装置を示す分解斜視図である。
【図２３】上記実施形態において、球タンク及び案内通路台と共に、球払い出し装置を示す平面図である。
【図２４】上記実施形態において、球タンク球と共に払い出し装置を示す側面図である。
【図２５】図２４にて図示２５ー２５線に沿う断面図である。
【図２６】上記実施形態において、開閉機構の配設位置を球送り装置及び排出通路の部分破断状態にて示す斜視図である。
【図２７】上記実施形態における開閉機構の分解斜視図である。
【図２８】上記実施形態における開閉機構の動作説明図である。
【図２９】上記実施形態における開閉機構の動作説明図である。
【図３０】上記実施形態における移送装置、案内通路台、球タンク、球発射装置及び球送り装置の斜視図である。
【図３１】上記実施形態における移送装置の揚送機構を案内通路台及び球タンクと共に示す斜視図である。
【図３２】上記実施形態における移送装置の揚送機構を案内通路台及び球タンクと共に示す斜視図である。
【図３３】上記実施形態における移送装置の分解斜視図である。
【図３４】図３１の移送装置におけるベルトコンベヤーの部分斜視図である。
【図３５】図３１の移送装置におけるベルトコンベヤーの部分斜視図である。
【図３６】上記実施形態における球充填装置を案内通路台と共に示す分解斜視図である。
【発明を実施するための形態】
【００２２】
以下、本発明の一実施形態を図面により説明する。
【００２３】
図１及び図２は、本発明を適用してなる遊技球循環型遊技システムが、複数、ホールの島設備１０に配設されてなる例を示している。なお、上記島設備は、長手状の基台１０ａ上に枠体１０ｂを一体的に形成して構成されている。
【００２４】
複数の遊技球循環型遊技システムは、上記島設備の枠体１０ｂ内に横方向に列状に並んで配設されている。当該複数の遊技球循環型遊技システムは、共に、同一の構成を有するので、以下、当該複数の遊技球循環型遊技システムのうちの一遊技球循環型遊技システムを例にとってその構成について説明する。
【００２５】
当該一遊技球循環型遊技システム（以下、遊技球循環型遊技システムＳともいう）は、図１から分かるように、枠体１０ｂ内にその一端部側にて配設されており、当該遊技球循環型遊技システムＳは、図１〜図８のいずれかにて示すごとく、パチンコ遊技機Ｓ１と、このパチンコ遊技機Ｓ１の左側に位置する持ち球管理装置Ｓ２と、パチンコ遊技機Ｓ１の後側にて当該パチンコ遊技機Ｓ１に着脱可能に付設される球移送装置Ｓ３とでもって構成されている。
【００２６】
本実施形態では、当該遊技球循環型遊技システムＳにおいて、パチンコ遊技機Ｓ１は、いわゆる封入式（循環式）のものであるから、遊技者が、当該パチンコ遊技機Ｓ１に封入されている遊技球に直接触れることはできない。このことは、遊技球循環型遊技システムＳが、パチンコ遊技機Ｓ１を含め、封入式であることを意味する。
【００２７】
また、遊技者は、持ち球管理装置Ｓ２及び球移送装置Ｓ３においても、遊技球に直接触れることはできない。また、遊技球循環型遊技システムＳにおいて、持ち球管理装置Ｓ２及び球移送装置Ｓ３は、図面によっては、便宜上、相互に分離した装置として記載されているが、これら持ち球管理装置Ｓ２及び球移送装置Ｓ３は、通常、一体的な装置として構成される。
【００２８】
なお、図３において、図示斜め左側後方及び図示斜め右側前方が、それぞれ、遊技球循環型遊技システムＳの左側及び右側に対応し、図示斜め左方前側及び図示斜め右方後側が、それぞれ、遊技球循環型遊技システムＳの前側及び後側に対応し、かつ、図示上側及び下側が、それぞれ、遊技球循環型遊技システムＳの上側及び下側に対応する。
【００２９】
パチンコ遊技機Ｓ１は、機枠（図示しない）と、遊技機本体２０と、前扉３０とにより構成されている（図１〜図８のいずれか参照）。しかして、当該パチンコ遊技機Ｓ１は、上記機枠を介し、枠体１０ｂ内に配設されており、このパチンコ遊技機Ｓ１において、遊技機本体２０は、図９〜図１３のいずれかにて示すごとく、遊技盤２０ａ、案内レール２０ｂ、球発射装置２０ｃ及び球送り装置２０ｄを備えている。なお、制御装置２０ｅは、遊技盤２０ａにその後側から組み付けられている。
【００３０】
遊技盤２０ａは、遊技機本体２０の板状本体枠（図示しない）に組み付けられて、遊技機本体２０の前面側に位置している。案内レール２０ｂは、図９及び図１１〜図１４のいずれかにて示すごとく、遊技盤２０ａの盤面の外周部に沿い組み付けられており、当該案内レール２０ｂは、内レール部２１及び外レール部２２でもって構成されている。
【００３１】
ここで、内レール部２１は、下方に凸な円弧状にて、外レール部２２の内側に沿い遊技盤２０ａの盤面にその左上側隅角部から下方及び右上隅角部にかけて組み付けられている。外レール部２２は、上方に向け凸な円弧状にて、遊技盤２０ａの盤面にその左下側隅角部から上方及び右上隅角部にかけて組み付けられている。また、外レール部２２は、その左側部にて、内レール部２１の左側部との間にて、遊技盤２０ａの盤面に沿い案内通路２３を形成している。
【００３２】
しかして、案内レール２０ｂは、球発射装置２０ｃにより後述のように発射される遊技球を案内通路２３に沿い遊技領域２４の左上側隅角部内に案内する。なお、遊技領域２４は、案内レール２０ｂによりその内周側にて遊技盤２０ａの盤面上に形成されている（図９参照）。
【００３３】
また、アウト口２４ａは、図１１〜図１４のいずれかに示すごとく、内レール部２１の左右方向中央下部の直上にて、遊技盤２０ａに形成されている。このアウト口２４ａは、遊技盤２０ａの遊技領域２４内にて当該遊技盤２０ａの盤面に沿い各入賞口（例えば、図１８にて符号２４ｂ参照）のいずれにも入賞することなく下方へ転動する遊技球を消費球として遊技盤２０ａの後側へ排出する役割を果たす。
【００３４】
球発射装置２０ｃは、基板２５ａにて、遊技盤２０ａの左右方向中間部位の下方にて遊技機本体２０の上記板状本体枠に支持されている（図１１〜図１４のいずれかの図参照）。当該球発射装置２０ｃは、図１６にて例示するごとく、ロータリーソレノイド２５ｂを備えており、このロータリーソレノイド２５ｂは、基板２５ａの後面の右側部に同軸的に組み付けられている。これに伴い、ロータリーソレノイド２５ｂは、基板２５ａからその後面側（遊技盤２０ａの後面側）へ延出している。なお、当該ロータリーソレノイド２５ｂは、その軸にて、基板２５ａを通り回動可能に前方へ突出している。
【００３５】
また、当該球発射装置２０ｃは、槌（図示しない）及び発射レール２５ｃ（図１６参照）を備えており、上記槌は、その回動基部にて、基板２５ａの前面に沿い回動するようにロータリーソレノイド２５ｂの軸に同軸的に支持されている。
【００３６】
しかして、当該槌は、ハンドルＨＤ（図１、図３或いは図５〜図７のいずれか参照）の操作に伴うロータリーソレノイド２５ｂの一方向への回動（或いは他方向への回動）に伴い、後退回動位置から打撃回動位置（或いは、打撃回動位置から後退回動位置）へ回動する。なお、当該槌は、打撃回動位置に達したとき、その槌部にて、発射レール２５ｃの発射基端部上の遊技球を打つようになっている。なお、ハンドルＨＤは、球発射装置２０ｃの一構成部材として、前扉３０の右側下部に回動可能に設けられている。
【００３７】
発射レール２５ｃは、基板２５ａの前面に沿い、上記槌の打撃回動位置における上記槌部に対する対向位置から案内レール２０ｂの案内通路２３の案内基端部２３ａ（図１１参照）に向けて、左上側へ傾斜状に延出するように配設されている。これにより、上記槌の槌部により打たれた遊技球は、発射レール２５ｃに沿い案内通路２３の案内基端部２３ａに向けて発射される。
【００３８】
球送り装置２０ｄは、図９及び図１１〜図１４のいずれかから分かるように、球発射装置２０ｃにその前側から対向するように、遊技機本体２０の上記板状本体枠に支持されて、球発射装置２０ｃに併設されている。
【００３９】
具体的には、当該球送り装置２０ｄは、その後壁２６ａ（図１７参照）にて、球発射装置２０ｃにその前側から対向するように、遊技機本体２０の上記板状本体枠に支持されている。
【００４０】
しかして、当該球送り装置２０ｄは、その前壁２６ｂ（図１７参照）の左右方向中央下部に形成した球導入口部２６ｃから遊技球を導入し、この導入遊技球を球発射装置２０ｃの発射レール２５ｃの上記発射基端部上に送るようになっている。
【００４１】
また、遊技機本体２０は、図１１或いは図１２にて示すごとく、ファウル球通路部材２０ｆ及びファウル球受け部材２０ｇを備えている。
【００４２】
ファウル球通路部材２０ｆは、図１１〜図１５のいずれかにて示すごとく、案内通路２３の案内基端部２３ａの直下にてファウル球受け部材２０ｇの直上に位置するように、遊技機本体２０の上記板状本体枠に支持されている。
【００４３】
当該ファウル球通路部材２０ｆは、図１１〜図１５のいずれかにて示すごとく、縦筒部２７ａ及び横筒部２７ｂでもって略Ｌ字状となるように一体的に形成されている。縦筒部２７ａは、その上端開口部２７ｃにて、案内通路２３の案内基端部２３ａに下方から対向しており、当該縦筒部２７ａは、上端開口部２７ｃから下方に向けて延出している。
【００４４】
横筒部２７ｂは、縦筒部２７ａの延出下端連通口部から前方へ略Ｌ字状に延出しており、当該横筒部２７ｂは、その延出基端連通口部から前側右方へ緩やかに湾曲している（図１４参照）。
【００４５】
このように構成したファウル球通路部材２０ｆによれば、球発射装置２０ｃの発射レール２５ｃから矢印ＡＲ１（図１１或いは図１２参照）の方向に遊技盤２０ａの案内通路２３の案内基端部２３ａに向けて発射された遊技球が、案内通路２３の案内方向中間部位Ｐ１（図１３或いは図１４参照）まで達した後矢印ＡＲ２（図１３或いは図１４参照）の方向に逆戻りする場合、このように逆戻りした遊技球は、ファウル球通路部材２０ｆの縦筒部２７ａ内にその上端開口部２７ｃから落下する。
【００４６】
このように落下した遊技球は、縦筒部２７ａ内に沿い落下した後、横筒部２７ｂ内に進入して当該横筒部２７ｂによりその延出開口端部２７ｄに向けて案内される。
【００４７】
ファウル球受け部材２０ｇは、図１１〜図１４のいずれかにて示すごとく、ファウル球通路部材２０ｆの下方にて、遊技機本体２０の上記板状本体枠に支持されており、当該ファウル球受け部材２０ｇは、受け部材本体２８と、案内筒２９とにより構成されている。
【００４８】
受け部材本体２８は、底壁２８ａと、コ字状周壁２８ｂとを有している。コ字状周壁２８ｂは、左壁部Ｗａ、前壁部Ｗｂ及び後壁部Ｗｃでもって、コ字状に構成されており、左壁部Ｗａは、底壁２８ａの左縁部から上方へ延出している。前壁部Ｗｂ及び後壁部Ｗｃは、それぞれ、底壁２８ａの前縁左側部位及び後縁左側部位から互いに平行に上方へ延出している。このことは、コ字状周壁２８ｂは、そのコ字状上端開口部にて、案内レール２０ｂの案内通路２３の案内基端部２３ａにその直下から対向することを意味する。
【００４９】
これにより、上述のように矢印ＡＲ１の方向に遊技盤２０ａの案内通路２３に向けて発射された遊技球が、案内通路２３の案内方向中間部位Ｐ１よりも下方の案内方向中間部位Ｐ２（図１３或いは図１４参照）まで達した後矢印ＡＲ３（図１３或いは図１４参照）の方向に逆戻りする場合、このように逆戻りした遊技球は、縦筒部２７ａの上端開口部２７ｃよりも右方へずれて、受け部材本体２８のコ字状周壁２８ｂ内にその上端開口部から落下した後、底壁２８ａ上に落下する。
【００５０】
また、底壁２８ａは、その右側部位にて、球発射装置２０ｃの発射レール２５ｃの直下に位置している。このため、上述のように球発射装置２０ｃの発射レール２５ｃの発射基端部において上記槌により打たれた遊技球が発射レール２５ｃの発射方向中間部位から図１３或いは図１４にて示すごとく、矢印ＡＲ４の方向に落下する場合、当該遊技球は、底壁２８ａ上に落下する。これは、矢印ＡＲ４の方向に落下する遊技球の位置は、底壁２８ａ上に近いためである。
【００５１】
ここで、底壁２８ａはその右側から左壁部Ｗａ及び後壁部Ｗｃの交差下側隅角部（図１４参照）に向けて順次下方へ緩やかに傾斜している。このため、上述のようにコ字状周壁２８ｂの内部を通り底壁２８ａ上に落下した遊技球、或いは矢印ＡＲ４の方向に沿い底壁２８ａ上に落下した遊技球は、当該底壁２８ａにより左壁部Ｗａ及び後壁部Ｗｃの交差下側隅角部に向けて案内される。
【００５２】
また、ファウル球受け部材２０ｇにおいて、案内筒２９は、図１２、図１４及び図１５のいずれかにて示すごとく、その基端開口部にて、コ字状周壁２８ｂ内にその後壁部Ｗｃの左下隅角部を介し開口するように、当該後壁部Ｗｃの左下隅角部から後方へ延出している。これに伴い、上述のように底壁２８ａ上に落下して左壁部Ｗａ及び後壁部Ｗｃの交差下側隅角部に向けて案内された遊技球は、案内筒２９内にその基端開口部から進入して当該案内筒２９によりその延出開口端部２９ａに向けて案内される（図１４参照）。
【００５３】
また、遊技機本体２０は、図１８或いは図１９にて示すごとく、受け皿２０ｈを有しており、この受け皿２０ｈは、遊技盤２０ａの直下にて遊技機本体２０の上記板状本体枠に支持されている。しかして、当該受け皿２０ｈは、アウト口２４ａから落下する遊技球或いは上記各入賞口（例えば、図１８にて符号２４ｂ参照）のいずれかに入賞して落下する遊技球を収容する。このように収容された遊技球は、受け皿２０ｈの底壁中央開口部から下方へ延出する排出路２４ｃ（図１８或いは図１９参照）を通り排出される。
【００５４】
前扉３０は、その左縁部にて、遊技機本体２０の左縁部に前後方向に回動可能に支持されている。これにより、当該前扉３０は、後方への回動により、遊技盤２０ａをその前面から閉じ、また、前方への回動により、遊技盤２０ａをその前面から開く。
【００５５】
当該パチンコ遊技機Ｓ１は、遊技盤２０ａ、案内レール２０ｂ、球発射装置２０ｃ及び球送り装置２０ｄ等と共に遊技機本体２０を構成する球払い出し装置４０を備えており、この球払い出し装置４０は、後述する球タンク５０の直下にて、遊技機本体２０の上記板状本体枠の左側下部に配設されている（図８、図１０、図２０或いは図２１等参照）。
【００５６】
当該球払い出し装置４０は、図２０〜図２５のいずれかにて示すごとく、払い出し部材４０ａと、通路部材４０ｂと、案内通路４０ｃと、ピニオン４０ｄ及び払い出しモータ４０ｅとを備えている。
【００５７】
払い出し部材４０ａは、図２１或いは図２２にて示すごとく、円板状歯車４１及び円板状払い出し板４２を備えており、歯車４１は、後述のように払い出し板４２及び支持片４２ａを介し、軸４１ｂ（図２２参照）により回転可能に支持されている。当該歯車４１は、複数の貫通孔部４１ａを有しており、これら複数の貫通孔部４１ａは、歯車４１の外周部に沿いその周方向に間隔をおいて形成されている。ここで、各貫通孔部４１ａの内径は、１個の遊技球を通すに要する値に設定されている。
【００５８】
しかして、当該歯車４１は、その回転に伴い、球タンク５０の底壁５１の一部に形成した円弧状開口部５１ａ（図２２参照）を通り落下（流下）する遊技球を順次複数の貫通孔部４１ａのいずれかを通して下方へ落下させるようになっている。なお、円弧状開口部５１ａは、歯車４１の複数の貫通孔部４１ａのうちの所定数（例えば３つ）の各貫通孔部４１ａに対向するように、球タンク５０の底壁５１に形成されている。
【００５９】
払い出し板４２は、歯車４１の直下にて当該歯車４１と同軸的に位置するように、支持片４２ａにより、遊技機本体２０の上記枠体の一部に回転不能に支持されている。当該払い出し板４２は、単一の貫通孔部４２ｂ（図２２参照）を有しており、この貫通孔部４２ｂは、歯車４１の複数の貫通孔部４１ａのいずれかに下方から同軸的に対向するように、払い出し板４２の外周部に形成されている。なお、貫通孔部４２ｂは、貫通孔部４１ａと同一の内径を有している。また、歯車４１は、軸４１ｂにより、払い出し板４２及び支持片４２ａを介し、回転可能に、遊技機本体２０の上記板状本体枠の一部に支持されている。
【００６０】
しかして、当該払い出し板４２は、歯車４１の複数の貫通孔部４１ａのいずれかを通り落下する遊技球を順次貫通孔部４２ｂを通して下方へ払い出すようになっている。
【００６１】
通路部材４０ｂは、図２１にて示すごとく、払い出し部材４０ａの下側にて、案内通路４０ｃと球移送装置Ｓ３の案内通路台６０との間に連結されるように、遊技機本体２０の上記板状本体枠の一部に支持されている。
【００６２】
当該通路部材４０ｂは、図２１及び図２２により示すごとく、払い出し通路４３と、分岐通路４４とを備えている。払い出し通路４３は、長手状底壁４３ａと、この底壁４３ａの幅方向両縁部の各々から上方へＬ字状に延出する両側壁４３ｂ、４３ｃと、底壁４３ａの長手方向両端部の各々から上方へＬ字状に延出する両端壁４３ｄ、４３ｅとでもって、上方へ開口するように、略断面コ字状に形成されている。このことは、払い出し通路４３は、長手状底壁４３ａ、両側壁４３ｂ、４３ｃ及び両端壁４３ｄ、４３ｅでもって、その内側にて、長手状収容案内部Ｅを形成することを意味する。
【００６３】
ここで、払い出し通路４３は、長手状収容案内部Ｅの端壁４３ｄ側部位にて、払い出し板４２の貫通孔部４２ｂにその直下から対向する。このため、払い出し板４２の貫通孔部４２ｂから払い出される遊技球は、払い出し通路４３の長手状収容案内部Ｅの端壁４３ｄ側部位内に落下して収容される。
【００６４】
また、払い出し通路４３は、長手状収容案内部Ｅの端壁４３ｅ側部位にて、図２１或いは図２２にて示すごとく、右壁４３ｃ側から左壁４３ｂ側に向け横方向にコ字状に突出して、横方向拡大収容部Ｅａとして形成されている。
【００６５】
換言すれば、払い出し通路４３において、左壁４３ｂは、図２１或いは図２２にて示すごとく、端壁４３ｅ側部位にて、端壁４３ｅと共に、右壁４３ｃとは反対側へコ字状に突出する突出壁部４５を形成してなり、この突出壁部４５は、左壁４３ｂのうち上記端壁４３ｅ側部位を除く部位の上記端壁４３ｅ側端部から右壁４３ｃとは反対側へＬ字状に屈曲する壁部４５ａと、この壁部４５ａから端壁４３ｅ側へＬ字状に屈曲する壁部４５ｂと、端壁４３ｅの壁部４５ａに対する対向部位とでもって、コ字状に形成されている。また、底壁４３ａは、突出壁部４５の両壁部４５ａ、４５ｂ、端壁４３ｅの上記対向部位の各下縁部に亘り閉塞するように拡大するように形成されている。
【００６６】
このような構成のもと、コ字状突出壁部４５が、右壁４３ｃのうち突出壁部４５に対向する部位並びにこれに対する底壁４３ａの対応部位とともに、横方向拡大収容部Ｅａを形成する。
【００６７】
また、端壁４３ｅは、図２１〜図２３にて示すごとく、連通口部４３ｆを有しており、この連通口部４３ｆは、端壁４３ｅの右側壁４３ｃ側部位にて、遊技球を１個ずつ通過させ得るように、開口形成されている。このことは、横方向拡大収容部Ｅａが、端壁４３ｅの右側壁４３ｃ側部位にて、連通口部４３ｆを形成することを意味する。
【００６８】
また、底壁４３ａは、図２３にて示すごとく、開口部４３ｇを有しており、この開口部４３ｇは、払い出し通路４３内に落下する各遊技球を必要に応じて分岐通路４４内に落下させ得るように、端壁４３ｅと突出壁部４５の壁部４５ｂとの交差隅角側に形成されている。換言すれば、横方向拡大収容部Ｅａが、底壁４３ａのうち端壁４３ｅと突出壁部４５の壁部４５ｂとの交差隅角側部位にて、開口部４３ｇを有するように形成されている。なお、開口部４３ｇは、分岐通路４４の横方向拡大収容部Ｅａ内への開口部として把握してもよい。
【００６９】
ここで、払い出し通路４３は、図２１にて示すごとく、その長手方向中間部位から端壁４３ｅ側にかけて、左壁４３ｂ側から右壁４３ｃ側へ緩やかな凸形状に湾曲しながら延在するように形成されている。従って、遊技球は、払い出し通路４３の長手状収容案内部Ｅの内部を端壁４３ｄ側から転動するにあたり、払い出し通路４３の長手方向中間部位内に達した後は、払い出し通路４３の上記湾曲形状に基づき、右壁４３ｃの内面に沿うように端壁４３ｅに向けて転動するようになっている。
【００７０】
ここで、払い出し通路４３の連通口部４３ｆを通過する遊技球が一度に連続することは、現実の遊技にあたっては過剰となることから、所定数（例えば、４０個）の遊技球を、連通口部４３ｆを通過させるようにし、かつ、残りの遊技球を外れ球として分岐通路４４側内に分岐して落下させるように、開口部４３ｇが、壁部４５ｂと端壁４３ｅとの交差隅角側に形成されるとともに、当該開口部４３ｇの開口面積が設定されている。ここで、上述のように払い出し通路４３の連通口部４３ｆを通過する遊技球を所定数（例えば、４０個）の遊技球とすることは、連通口部４３ｆから案内通路４０ｃ（後述する）内に案内される遊技球が、案内通路４０ｃ内にて所定数（例えば、４０個）溜まることを意味する。
【００７１】
また、上述のように、所定数（例えば、４０個）の遊技球を連通口部４３ｆから案内通路４０ｃ内に通過させかつ残りの遊技球を外れ球として分岐通路４４側内に分岐して落下させるにあたり、長手状収容案内部Ｅの横方向拡大収容部Ｅａの底壁部は、図２５にて示すごとく、上下両側段壁部４３ｈ、４３ｉでもって、階段状に形成されるとともに、上述のごとく遊技球が案内通路４０ｃ内に所定数（例えば、４０個）溜まるように案内通路４０ｃが構成されている。
【００７２】
ここで、上側段壁部４３ｈは、壁４３ｃの端壁４３ｅ側部位に沿うように形成されている。また、下側段壁部４３ｉは、上側段壁部４３ｈ上から外れて（溢れて）落下する遊技球を分岐通路４４内に落下させるように、突出壁部４５側に形成されている。従って、上述した開口部４３ｇは、壁部４５ｂと端壁４３ｅとの交差隅角側にて、下側段壁部４３ｉに形成されている。
【００７３】
分岐通路４４は、図２１にて示すごとく、払い出し通路４３の開口部４３ｇから下方へ延出している。当該分岐通路４４は、その中間部位にて、さらに、略Ｌ字状に折れ曲がって払い出し部材４０ａの下側に向け延出しており、当該分岐通路４４は、その延出端開口部４４ａにて、案内通路台６０の導入口部６１ｃ（後述する）に連結されている。
【００７４】
しかして、遊技球は、払い出し通路４３の開口部４３ｇから分岐通路４４内に落下した遊技球は、分岐通路４４によりその延出端開口部４４ａを介し案内通路台６０の導入口部６１ｃへ案内される。
【００７５】
案内通路４０ｃは、図１７或いは図２０にて示すごとく、払い出し通路４３の連通口部４３ｆと球送り装置２０ｄの球導入口部２６ｃとの間に連結されているもので、当該案内通路４０ｃは、上方へ開口するように、長手状底壁４６ａ（図２３参照）と、この底壁４６ａの幅方向両縁部の各々から上方へＬ字状に延出する両側壁４６ｂ、４６ｃとでもって構成されている。
【００７６】
ここで、当該案内通路４０ｃは、その長手方向一端開口部４６ｄにて、払い出し通路４３の連通口部４３ｆに連結されている。また、当該案内通路４０ｃは、その長手方向他側部位にて、後方（球送り装置２０ｄの球導入口部２６ｃ側方向）に向け、Ｌ字状に折れ曲がように延出して形成されている。但し、両側壁４６ｂ、４６ｃは、長手状底壁４６ａよりも球導入口部２６ｃに向け長く延出している（図２６参照）。
【００７７】
このため、案内通路４０ｃは、その長手方向他側部位以外の部位にて、上方へ横断面コ字状に開口し、上記長手方向他側部位にて、上方、下方及び後方に向け開口する。また、案内通路４０ｃの長手方向他側部位は、その下部にて、開閉板４７ｄ（後述する）により閉塞されるようになっている（図２６参照）。これに伴い、案内通路４０ｃの長手方向他側部位は、開閉板４７ｄと共に、上方へ横断面略コ字状に開口するとともに後方へ開口する長手方向他端開口部４６ｅとして、球送り装置２０ｄの球導入口部２６ｃに連結されて当該球導入口部２６ｃを介し球送り装置２０ｄ内に連通している。
【００７８】
これにより、遊技球は、当該案内通路４０ｃ内にその長手方向一端開口部４６ｄから進入して当該案内通路４０ｃにより案内されて長手方向他端開口部４６ｅを通り球送り装置２０ｄによりその球導入口部２６ｃから導入可能となっている。
【００７９】
また、案内通路４０ｃにおいて、側壁４６ｃは、図２２にて例示するごとく、開口部４６ｆを有しており、この開口部４６ｆは、ファウル球通路部材２０ｆの横筒部２７ｂの延出端開口部２７ｄに連結されている。これに伴い、ファウル球通路部材２０ｆの横筒部２７ｂ内を通る遊技球は、その延出端開口部２７ｄから案内通路４０ｃ内に開口部４６ｆを通り進入して当該案内通路４０ｃにより案内されて長手方向他端開口部４６ｅを通り球送り装置２０ｄによりその球導入口部２６ｃから導入される。
【００８０】
ピニオン４０ｄは、図２１或いは図２２から分かるように、払い出しモータ４０ｅと共に、球タンク５０の収容部５０ａ内に同軸的に支持されている。ここで、収容部５０ａは、底壁５１の一側部位から下方にコ字状に突出して形成されており、当該収容部５０ａは、その一側開口部にて、払い出し部材４０ａの歯車４１に隣接している。
【００８１】
払い出しモータ４０ｅは、収容部５０ａ内にてその底壁部５２上に組み付けられており、当該払い出しモータ４０ｅの出力軸は、底壁５１の一側部位に向けて延出している。ピニオン４０ｄは、払い出しモータ４０ｅの出力軸に同軸的に支持されて、収容部５０ａの一側開口部を介し歯車４１に噛合している。
【００８２】
これにより、ピニオン４０ｄは、払い出しモータ４０ｅの回転に伴い歯車４１を逆方向に回転させるようになっている。なお、払い出しモータ４０ｅは、持ち球管理装置Ｓ２へのカード（プリペイドカード）の挿入或いはパチンコ遊技機Ｓ１による遊技中における入賞口への入賞を前提とする制御装置２０ｅによる制御のもとに駆動されて回転する。
【００８３】
また、当該球払い出し装置４０は、図２０或いは図２６にて示すごとく、開閉機構４０ｆ及び排出通路４０ｇを有しており、開閉機構４０ｆは、案内通路４０ｃの長手方向他端開口部４６ｅの下方にて、球送り装置２０ｄの前壁２６ｂのうち球導入口部２６ｃの右側近傍に組み付けられている。
【００８４】
当該開閉機構４０ｆは、図２７にて示すごとく、機構本体４７ａと、レバー４７ｂと、コイルスプリング４７ｃと、開閉板４７ｄとでもって構成されている。
【００８５】
機構本体４７ａは、円筒状ボビンＢと、このボビンＢ内に同軸的に嵌装した円筒状ヨーク（図示しない）と、ボビンＢに巻装してなるソレノイドＳＬと、上記ヨーク内に軸動可能に挿入してなるプランジャーＰと、上記ヨーク内にその底壁とプランジャーＰとの間に同軸的に介装されて当該プランジャーＰをボビンＢの外方へ付勢する付勢スプリング（図示しない）とを備えている。
【００８６】
しかして、当該機構本体４７ａにおいては、ソレノイドＳＬの消磁状態にあっては、プランジャーＰは、上記付勢スプリングにより付勢されて、頭部Ｐａ（図２８或いは図２９参照）にて、上記ヨークから外方へ突出している。また、ソレノイドＳＬが励磁されると、プランジャーＰは、上記ヨーク内に上記付勢スプリングに抗して吸引されて当該ヨーク内に後退する。
【００８７】
レバー４７ｂは、図２６〜図２８のいずれかにて示すごとく、その長手方向中央部でもって、支持ピンＳＰにより、案内通路４０ｃの長手方向他端開口部４６ｅの下方にて、球送り装置２０ｄの前壁２６ｂのうち球導入口部２６ｃの右側近傍に前壁２６ｂに沿い回動可能に支持されている。
【００８８】
当該レバー４７ｂは、その長手方向下端部にて、コイルスプリング４７ｃの付勢力のもと、機構本体４７ａのプランジャーＰの頭部Ｐａに摺接可能に当接しており、当該レバー４７ｂの長手方向上端部は、開閉板４７ｄの貫通孔部ｈ（図２６或いは図２７参照）内に下方から左右方向に傾動自在に嵌装されている。なお、貫通孔部ｈは、図２６或いは図２７にて示すごとく、その長手方向に沿いスリット状に形成されている。
【００８９】
ここで、レバー４７ｂの回動過程において、当該レバー４７ｂが、その長手方向下端部にてプランジャーＰの頭部Ｐａと円滑に摺接しながら当接するように、当該レバー４７ｂの長手方向下端部は、そのプランジャーＰの頭部Ｐａ側の表面部にて、図２８或いは図２９にて例示するごとく、円弧面状に形成されている。これに伴い、プランジャーＰは、その頭部Ｐａにて、レバー４７ｂの長手方向下端部の円弧面状表面部と円滑に摺接しながら当接するように、図２８或いは図２９にて例示するごとく、半円筒面状に形成されている。
【００９０】
しかして、当該レバー４７ｂは、プランジャーＰによりその上記ヨークから外方へ突出に伴い図２８にて示すごとく図示反時計方向に回動し、プランジャーＰの上記ヨーク内への後退に伴い図２９にて示すごとく図示時計方向に回動する。
【００９１】
コイルスプリング４７ｃは、その一端部にて、レバー４７ｂの長手方向上端部に係止されており、当該コイルスプリング４７ｃの他端部は、球送り装置２０ｄの前壁２６ｂのうち支持軸ＳＰの斜め右側上方部位に係止されている。これにより、当該コイルスプリング４７ｃは、レバー４７ｂの長手方向上端部を右方へ付勢している。
【００９２】
このことは、レバー４７ｂが、その長手方向下端部にて、常時、機構本体４７ａのプランジャーＰの頭部Ｐａに当接していることを意味する。なお、コイルスプリング４７ｃは、その一端部及び他端部にて、球送り装置２０ｃの前壁２６ｂの下縁部からほぼ同一の高さに位置するように、レバー４７ｂの長手方向上端部及び前壁２６ｂの上記斜め右側上方部位に係止している。
【００９３】
開閉板４７ｄは、長方形板状のもので、当該開閉板４７ｄは、案内通路４０ｃの長手方向他端開口部４６ｅの底壁板としての機能を有する。具体的には、開閉板４７ｄは、案内通路４０ｃの側壁４６ｂのうち長手方向他端開口部４６ｅに対する対応部位（側壁４６ｂの上記長手方向他側部位に対する対応部位）の下部に形成したスリット状切り欠き部４６ｇ（図２７参照）を通してその右側から左右方向に摺動可能に嵌装されている。このことは、開閉板４７ｄが、案内通路４０ｃの長手方向他端開口部４６ｅの下部を開閉可能となっていることを意味する。
【００９４】
以上のように構成した開閉機構４０ｆによれば、開閉板４７ｄが長手方向他端開口部４６ｅの下部を閉じていれば、案内通路４０ｃにより球送り装置２０ｄに向け案内される遊技球は球導入口部２６ｃに達する。また、開閉板４７ｄが切り欠き部４６ｇを介し右側へ摺動して長手方向他端開口部４６ｅを下方に向け開口すれば、案内通路４０ｃにより球送り装置２０ｄに向け案内される遊技球は、長手方向他端開口部４６ｅから球送り装置２０ｄの球導入口部２６ｃに達することなく、長手方向他端開口部４６ｅから落下して排出通路４０ｇ内に進入する。本実施形態では、機構本体４７ａのソレノイドＳＬは、球抜き操作ボタンスイッチ（図示しない）の操作に基づく制御装置２０ｅの制御のもとに励磁（或いは消磁）される。なお、上記球抜き操作ボタンスイッチは、遊技機本体２０の前面の適所に設けられている。
【００９５】
排出通路４０ｇは、案内通路４０ｃの長手方向他端開口部４６ｅの下部から下方へ延出し、さらにファウル球受け部材２０ｇの受け部材本体２８の底壁２８ａの直上に向け折れ曲がって延出している。これにより、案内通路４０ｃの長手方向他端開口部４６ｅから下方へ落下する遊技球は、排出通路４０ｇ内に進入し当該排出通路４０ｇにより案内されて受け部材本体２８の底壁２８ａ上に落下する。
【００９６】
球タンク５０は、パチンコ遊技機Ｓ１の一構成部材であって、当該球タンク５０は、図８或いは図１０にて示すごとく、制御装置２０ｅの直下にて、遊技機本体２０の後面左側部に設けられている。このことは、当該球タンク５０は、遊技機本体２０に対しその上下方向中央部の下側近傍に位置することを意味する。
【００９７】
しかして、当該球タンク５０は、球移送装置Ｓ３の後述する案内筒７０ｂ（図２０参照）から落下する遊技球を順次収容する。
【００９８】
持ち球管理装置Ｓ２は、直方体形状のもので、当該持ち球管理装置Ｓ２は、その右側後部にて、図１、図３及び図４のいずれかにて示すごとく、パチンコ遊技機Ｓ１の左縁部に着脱可能に連結されている。これにより、当該持ち球管理装置Ｓ２は、パチンコ遊技機Ｓ１の左縁部から後方へ延出している。
【００９９】
当該持ち球管理装置Ｓ２は、紙幣或いは硬貨の投入に伴い、遊技球を払い出すべく払い出し装置４０に対しパチンコ遊技機Ｓ１の制御装置２０ｅ（後述する）による払い出し指令をもたらすようになっている。また、当該持ち球管理装置Ｓ２は、挿入カードに持ち球情報を書き込み或いは当該持ち球情報を読み出す処理を行うカード処理装置を内蔵している。なお、このカード処理装置は、上記持ち球情報に基づき遊技球を払い出すべく払い出し装置４０に対しパチンコ遊技機Ｓ１の制御装置２０ｅによる払い出し指令をもたらすようになっている。
【０１００】
球移送装置Ｓ３は、持ち球管理装置Ｓ２と一体となって、パチンコ遊技機Ｓ１に着脱可能に付設されるものである。以下、球移送装置Ｓ３の構成について詳細に説明する。
【０１０１】
当該球移送装置Ｓ３は、図４〜図１０のいずれかにて示すごとく、案内通路台６０及び揚送装置７０をハウジング８０内に組み付けて構成されている。ハウジング８０は、直方体形状のもので、このハウジング８０は、パチンコ遊技機Ｓ１の後側にて遊技機本体２０の左下隅角部に着脱可能に組み付けられている（図４〜図６参照）。
【０１０２】
案内通路台６０は、図４或いは図５にて示すごとく、ハウジング８０の内部からその後壁８１の横長状開口部８１ａに嵌装されている。これにより、当該案内通路台６０は、その後部を、横長状開口部８１ａから後方へ突出させて、ハウジング８０の底壁に平行となるように当該ハウジング８０内に支持されている。
【０１０３】
当該案内通路台６０は、図３３にて例示するごとく、底壁６０ａを有しており、この底壁６０ａは、右側底壁部６１及び左側底壁部６２でもって構成されている。右側底壁部６１は、その前縁部にて、３つの導入口部６１ａ、６１ｂ及び６１ｃに区画形成されている。
【０１０４】
しかして、これら導入口部６１ａ、６１ｂ及び６１ｃのうち、導入口部６１ａには、受け皿２０ｈの排出路２４ｃが連結され、導入口部６１ｂには、ファウル球受け部材２０ｇの案内筒２９が連結され、また、導入口部６１ｃには、通路部材４０ｂの分岐通路４４が連結されている（図３０参照）。
【０１０５】
これにより、受け皿２０ｈの排出路２４ｃ内の遊技球（アウト球）が、案内通路台６０の右側底壁部６１上に導入口部６１ａを通り導入され、ファウル球受け部材２０ｇの案内筒２９内の遊技球（ファウル球）が、案内通路台６０の右側底壁部６１上に導入口部６１ｂを通り導入され、また、分岐通路４４内の遊技球（外れ球）が、案内通路台６０の右側底壁部６１上に導入口部６１ｃを通り導入される。
【０１０６】
本実施形態では、分岐通路４４内の遊技球（外れ球）及びファウル球受け部材２０ｇの案内筒２９内の遊技球（ファウル球）は、共に、遊技者の持ち球に属すべきであることから、導入口部６１ｂを通る遊技球は、ファウル球センサ（図示しない）により検出され、導入口部６１ｃを通る遊技球は、外れ球センサ（図示しない）により検出されるようになっている。
【０１０７】
ここで、上記外れ球センサ或いは上記ファウル球センサにより検出された遊技球は、順次、持ち球管理装置Ｓ２のカード処理装置により挿入カードに持ち球として記憶される。なお、上記外れ球センサ及び上記ファウル球センサは、それぞれ、導入口部６１ａ及び導入口部６１ｂに付設されている。
【０１０８】
左側底壁部６２は、図３３にて例示するごとく、その右縁部にて、右側底壁部６１の左縁部に一体的に形成されており、当該左側底壁部６２の前縁部には、複数の係合溝部６２ａが、形成されている。ここで、左側底壁部６２の上面は、右側底壁部６１の上面よりも低く位置するように構成されている。これにより、遊技球は、右側底壁部６１の上面から左側底壁部６２の上面へ円滑に転動し得る。
【０１０９】
当該案内通路台６０は、外壁６０ｂ及び中壁６０ｃを有しており、外壁６０ｂは、右側底壁部６１の右縁部から左側底壁部６２の左縁部にかけて底壁６０ａを囲うように右側底壁部６１及び左側底壁部６２から上方に向けＬ字状に延出している。また、中壁６０ｃは、右側底壁部６１の左縁部から上方へＬ字状に延出されており、当該中壁６０ｃは、その後端部６３にて、外壁６０ｂのうち後端部６３に対する対応部との間に、右側底壁部６１の上面から左側底壁部６２の上面への複数の遊技球の転動を可能にするように、所定の間隔が付与されている（図３３参照）。
【０１１０】
しかして、このように構成した案内通路台６０によれば、右側底壁部６１の上面上に各導入口部６１ａ、６１ｂ及び６１ｃのいずれかから案内される遊技球は、右側底壁部６１の上面から左側底壁部６２の上面へ案内されて複数の係合溝部６２ａに向けて転動する。
【０１１１】
揚送装置７０は、図３１〜図３３のいずれかにて示すごとく、ケーシング７０ａと、このケーシング７０ａから延出する案内筒７０ｂと、ケーシング７０ａ内に収容してなる揚送機構７０ｃ及び駆動機構７０ｄとにより構成されている。
【０１１２】
ケーシング７０ａは、図３０、図３１及び図３２のいずれかにて示すように、案内通路台６０の底壁６０ａのうち左側底壁部６２の前側にて、中壁６０ｃに沿うように、ハウジング８０内にてその底壁上に立設されている。
【０１１３】
ケーシング７０ａは、図３３にて示すごとく、ケーシング本体７１と、蓋壁７２とにより構成されており、当該ケーシング７０ａは、ケーシング本体７１の開口部に蓋壁７２（ケーシング７０ａの左壁に相当する）を装着することで、直方体状に形成されている。
【０１１４】
案内筒７０ｂは、その基端開口部にて、ケーシング本体７１の右壁部（ケーシング７０ａの右壁部）の前上側隅角部に形成した貫通穴部７１ａ（図３０参照）に嵌着されている。当該案内筒７０ｂは、その基端開口部から右方へ延出しさらに前方へＬ字状に折れ曲がるように延出しており、当該案内筒７０ｂは、その延出端開口部にて、球タンク５０の右側部内にその直上から開口している。
【０１１５】
これにより、揚送機構７０ｃにより後述のように揚送された遊技球は、案内筒７０ｂ内にその基端開口部から順次進入して当該案内筒７０ｂにより案内されてその延出端開口部から球タンク５０の右側部内に落下して収容される。
【０１１６】
揚送機構７０ｃは、図３１〜図３３のいずれかにて示すごとく、ベルトコンベヤー７３と、下側円筒状ローラ７３ａと、上側円筒状ローラ７３ｂとを備えており、ベルトコンベヤー７３は、下側円筒状ローラ７３ａ及び上側円筒状ローラ７３ｂにより、ケーシング７０ａ内にてケーシング本体７２の後壁下部近傍から前壁上部近傍にかけて、傾斜状に位置するように、ケーシング本体７１に後述のように支持した下側円筒状ローラ７３ａ及び上側円筒状ローラ７３ｂの双方に沿い回動可能に支持されている。
【０１１７】
ベルトコンベヤー７３は、エンドレスベルト７３ｃと、多数の揚送片７３ｄとを有しており、エンドレスベルト７３ｃは、下側円筒状ローラ７３ａ及び上側円筒状ローラ７３ｂの双方に亘るように巻装されている。これにより、エンドレスベルト７３ｃは、下側円筒状ローラ７３ａ及び上側円筒状ローラ７３ｂの同一方向への回転に伴い下側円筒状ローラ７３ａ及び上側円筒状ローラ７３ｂの双方に亘り回動する。
【０１１８】
多数の揚送片７３ｄは、エンドレスベルト７３ｃの外面に沿い、エンドレスベルト７３ｃの幅方向に間隔をおいて５つずつ並びかつエンドレスベルト７３ｃの回動方向に多数列並ぶように、突設されている。但し、エンドレスベルト７３ｃの傾斜角度、多数の揚送片７３ｄの各突設長さ及び多数の揚送片７３ｄのうちエンドレスベルト７３ｃの回動方向に沿う各両揚送片７３ｄの間隔は、遊技球を、エンドレスベルト７３ｃの回動に伴い、各列の揚送片７３ｄによりすくい上げて揚送するに適した値に設定されている。
【０１１９】
下側円筒状ローラ７３ａは、ケーシング７０ａのケーシング本体７１の後壁部の下端部近傍に形成した開口部７１ｂ（図３０或いは図３３参照）の近傍にて、ケーシング７０ａの左壁（蓋壁７２）及びケーシング本体７１の右壁（ケーシング７０ａの右壁に相当）に支持軸７３ｅ（図３３参照）を介し回転可能に支持されている。
【０１２０】
ここで、支持軸７３ｅは、下側円筒状ローラ７３ａに同軸的に挿通されており、当該支持軸７３ｅは、その左右両側端部にて、ケーシング７０ａの左壁及び右壁により支持されて、下側円筒状ローラ７３ａを回転可能に支持されている。なお、支持軸７３ｅの左側端部は、ケーシング７０ａの左壁（蓋壁７２）に挿通されている。
【０１２１】
また、上側円筒状ローラ７３ｂは、ケーシング７０ａのケーシング本体７１の前壁（ケーシング７０ａの前壁に相当）の上端部に突設した案内壁７３ｊ（図３３参照）の近傍にて、ケーシング７０ａの左壁及び右壁に支持軸７３ｆ（図３３及び図３５参照）を介し回転可能に支持されている。
【０１２２】
ここで、支持軸７３ｆは、その左右両側端部にて、ケーシング７０ａの左壁及び右壁により支持されて、上側円筒状ローラ７３ｂを回転可能に支持している。また、案内壁７３ｊは、ケーシング本体７１の前壁の上端部から後方に向け突出するように設けられており、当該案内壁７３ｊは、その幅方向の右側縁部から左側縁部にかけて、下方へ傾斜して、案内筒７０ｂの基端開口部に対向している。これにより、案内壁７３ｊ上に転動する遊技球は、案内壁７３ｊにより案内筒７０ｂの基端開口部に向けて円滑に案内される。なお、支持軸７３ｆの左側端部は、ケーシング７０ａの左壁（蓋壁７２）に挿通されている。
【０１２３】
また、当該案内壁７３ｊは、その突出端部にて、櫛歯状に形成されている。ここで、当該案内壁７３ｊの櫛歯状突出端部の各櫛歯部７３ｋ（図３５参照）のうち各両隣接櫛歯部７３ｋは、その間隔にて、ベルトコンベヤー７３の各列の５つの揚送片７３ｄの各幅よりも幾分広く形成されており、当該櫛歯状突出端部の各櫛歯部は、各列の５つの揚送片７３ｄの各両隣接揚送片７３ｄの間に対応して位置している。
【０１２４】
しかして、ベルトコンベヤー７３が、上側円筒状ローラ７３ｂの後側、上側及び前側を介し下側円筒状ローラ７３ａの前側に向けて回動し、さらに下側円筒状ローラ７３ａの下側を介し当該下側円筒状ローラ７３ａの後側へ回動する循環回動過程において、多数の揚送片７３ｄが、その列毎にベルトコンベヤー７３の回動に従い、図３１にて図示反時計方向（図３２にて図示時計方向）に沿い移動する。
【０１２５】
そして、この移動過程において、多数の揚送片７３ｄの各列の各揚送片７３ｄは、案内壁７３ｊの各櫛歯部７３ｋの間を通り、抜ける。この場合、多数の揚送片７３ｄの各列のうちの一列の揚送片７３ｄが、上側円筒状ローラ７３ｂの後側、上側及び前側に向かう方向に移動しながら遊技球をすくい上げた状態で、案内壁７３ｊの各櫛歯部７３ｋの間を通り抜けるとき、当該遊技球は、案内壁７３ｊの上面により、図３５にて図示矢印により示す方向に案内されて案内筒７０ｂの基端開口部内に進入する。
【０１２６】
駆動機構７０ｄは、図３３にて示すごとく、揚送モータ７４と、駆動歯車７５と、被動歯車７６とを有している。揚送モータ７４は、そのモータ本体７４ａにて、ケーシング７０ａ内にてその蓋壁７２の下縁中央部に組み付けられており、当該揚送モータ７４の出力軸７４ｂは、蓋壁７２の下縁中央部に形成した貫通孔部７２ａに回転自在に挿通されている。しかして、当該揚送モータ７４は、パチンコ遊技機Ｓ１による遊技の開始に伴う制御装置２０ｅによる制御のもとに、図３３にて図示反時計方向に回転する。
【０１２７】
駆動歯車７５は、揚送モータ７４の出力軸７４ｂの蓋壁７２の貫通孔部７２ａからの延出端部に同軸的に支持されて、当該揚送モータ７４と一体的に回転する。被動歯車７６は、移送装置７３の支持軸７３ｅの左側延出端部に同軸的に支持されて、駆動歯車７５に噛合する。しかして、当該被動歯車７６は、駆動歯車７５の回転に伴い下側ロータ７３ａを図３３にて図示時計方向に回転する。
【０１２８】
球移送装置Ｓ３は、図３６にて示すごとく、球充填装置９０を備えており、この球充填装置９０は、図５或いは図６にて示すごとく、ハウジング８０の横長状開口部８１ａからの案内通路台６０の後方への突出部上に着脱可能に設置されている。この球充填装置９０は、遊技球Ｓ１において遊技に使用されている遊技球の汚れや摩耗等を考慮して、一定期間毎に、所定数（例えば、２５０）の新しい遊技球を案内通路台６０内に充填する役割を果たす。なお、球充填装置９０は２５０個の遊技球を収容するようになっており、当該球充填装置９０はその底壁開口部から案内通路台６０内に充填する。
【０１２９】
以上のように構成した本実施形態において、当該遊技球循環型遊技システムが遊技可能状態におかれているものとする。このような段階において、遊技者が持ち球管理装置Ｓ２にカードを挿入すると、持ち球管理装置Ｓ２が、そのカード処理装置により、当該カードに記憶済みの持ち球情報を読み出す。これに基づき、パチンコ遊技機Ｓ１の制御装置２０ｅが球払い出し装置４０に対し遊技球の払い出しを指令する。なお、このとき、多数の遊技球が球タンク５０内に収容されているものとする。
【０１３０】
上述のように制御装置２０ｅが球払い出し装置４０に遊技球の払い出しを指令すると、球払い出し装置４０においては、払い出しモータ４０ｅが制御装置２０ｅによる制御のもとに回転し、ピニオン４０ｅが払い出しモータ４０ｅと同一方向に回転する。
【０１３１】
これに伴い、払い出し部材４０ａの歯車４１が、ピニオン４０ｅとの噛合のもとに当該ピニオン４０ｅとは逆方向に回転するにつれて、球タンク５０内に収容されている各遊技球（例えば、３個ずつ）が、順次、球タンク５０の円弧状開口部５１ａを通り払い出し部材４０ａの歯車４１上に落下して、この歯車４１の複数の貫通孔部４１ａのいずれかを介し払い出し板４２の貫通孔部４２ｂを通り、払い出されて、通路部材４０ｂの払い出し通路４３の長手状収容案内部Ｅ内に落下して収容される。
【０１３２】
このように収容された各遊技球は、順次、払い出し通路４３により案内される。そして、当該各遊技球は、順次、横方向拡大収容部Ｅａの上側壁部４３ｈ（図２５参照）上に沿い案内されて連通口部４３ｆを通り案内通路４０ｃ内に移動する。このように案内通路４０ｃ内に移動する各遊技球は、順次、１個ずつ、球送り装置２０ｄによりその球導入口部２６ｃ内に案内通路４０ｃの長手方向他端開口部４６ｅから導入される。
【０１３３】
このとき、開閉機構４０ｆにおいては、機構本体４７ａのソレノイドＳＬが消磁状態にあるものとすれば、レバー４７ｂが、図２８にて示すごとく、機構本体４７ａのプランジャーＰによりコイルスプリング４７ｃの付勢力に抗して図示反時計方向に傾動した状態に維持されている。このため、開閉板４７ｄは、案内通路４０ｃの長手方向他端開口部４６ｅの下部を閉じている。従って、球送り装置２０ｄによる球導入口部２６ｃ内への遊技球の導入は、開閉板４７ｄ上に沿い、良好になされ得る。
【０１３４】
また、上述のように、払い出し通路４３により一度に案内される遊技球が多すぎて横方向拡大収容部Ｅａの上側段壁部４３ｈから外れて下側段壁部４３ｉ上に落下すると、このように落下した遊技球は、順次、横方向拡大収容部Ｅａの開口部４３ｇから分岐通路４４内に落下する。
【０１３５】
すると、このように落下した各遊技球は、順次、分岐通路４４を通り、球移送装置Ｓ３の案内通路台６０の右側底壁部６１上に導入口部６１ｃから導入される。このとき、このように導入された遊技球は、外れ球として、上記外れ球センサにより検出されて、持ち球管理装置Ｓ２のカード処理装置により上記カードに持ち球として加算記憶される。
【０１３６】
上述のように球送り装置２０ｄによりその球導入口部２６ｃ内に導入された遊技球は、当該球送り装置２０ｄにより、球発射装置２０ｃの発射レール２５ｃの基端部上に送られる。
【０１３７】
このような段階において、遊技者によるハンドルＨＤの回動操作のもと、球発射装置２０ｃが、その槌により発射レール２５ｃの発射基端部上の遊技球を打てば、この遊技球は、発射レール２５ｃに沿い案内レール２０ｂの案内通路２３の案内基端部２３ａに向けて発射される。
【０１３８】
ここで、このように発射された遊技球が、案内通路２３に達することなく、発射レール２５ｃの中間部位から図１３にて矢印ＡＲ４により示す方向に落下する場合には、当該遊技球は、ファウル球として、ファウル球受け部材２０ｇの受け部材本体２８の底壁２８ａ上に落下する。
【０１３９】
また、上述のように発射された遊技球が、矢印ＡＲ１に沿い案内通路２３の案内方向中間部位Ｐ１に達することなく、案内方向中間部位Ｐ２に達して時点で逆戻りする場合には、当該遊技球は、矢印ＡＲ３（図１３或いは図１４参照）に沿い落下した後、ファウル球として、受け部材本体２８のコ字状周壁２８ｂ内にその上端開口部から落下して底壁２８ａ上に落下する。
【０１４０】
以上のようにして受け部材本体２８の底壁２８ａ上に落下した遊技球は、ファウル球受け部材２０ｇの案内筒２９を通り球移送装置Ｓ３の案内通路台６０の右側底壁部６１上に導入口部６１ｂを通り導入される。このとき、導入口部６１ｂを通る遊技球は、上記ファウル球センサにより検出されて、持ち球管理装置Ｓ２のカード処理装置により挿入カードに持ち球として記憶される（図１４或いは図１５参照）。
【０１４１】
このとき、揚送装置７０の揚送機構７０ｃにおいては、駆動機構７０ｄが、ベルトコンベヤー７３にて、制御装置２０ｅによる制御のもと、揚送モータ７４の回転に伴う駆動歯車７５及び被動歯車７６の回転に伴い、回動している。このため、ベルト７３ｃは、多数の揚送片７３ｄと共に、図３１にて図示反時計方向に循環するように移動する。換言すれば、ベルト７３ｃは、多数の揚送片７３ｄと共に、下側ローラ７３ａ及び上側ローラ７３ｂの後側、上側及び前側に向かう方向に循環移動する。
【０１４２】
しかして、上述のように案内通路台６０の右側底壁部６１上に導入された遊技球が、左側底壁部６２上に案内された後、揚送装置７０のケーシング７０ａ内にその開口部７１ｂから進入すると、当該遊技球は、揚送機構７０ｃにより、その列状の５つの揚送片７３ｄのいずれかでもって、すくい上げられて、上方へ揚送される。このとき、すくい上げられた遊技球は、上述したベルト７３ｃの前後方向への傾斜のもと、すくい上げた列状の５つの揚送片７３ｄとベルト７３ｃの外面のうち当該５つの揚送片７３ｄの直上部位とにより受承される。
【０１４３】
ついで、このように遊技球をすくい上げた５つの揚送片７３ｄが、上側円筒状ローラ７３ｂの上側から前側へ移動しながら上方から案内壁７３ｊに達すると、すくい上げた５つの揚送片７３ｄが、案内壁７３ｊの各櫛歯部７３ｋの間を通り上側円筒状ローラ７３ｂの後側へ移動するにつれて、すくい上げられた遊技球が、
すくい上げた５つの揚送片７３ｄから分離されて、案内壁７３ｊの上面に沿い転動し、案内筒７０ｂ内にその基端開口部から進入して球タンク５０内に落下収容される。これに伴い、当該遊技球は、上述と同様に、球払い出し装置４０により払い出される。
【０１４４】
また、上述のように発射された遊技球が、矢印ＡＲ１に沿い案内通路２３の案内方向中間部位Ｐ１（図１３或いは図１４参照）まで達した後、矢印ＡＲ２（図１３或いは図１４参照）の方向に逆戻りする場合には、当該遊技球は、ファウル球として、ファウル球通路部材２０ｆの縦筒部２７ａ内にその上端開口部２７ｃから落下する。然る後、このように縦筒部２７ａに落下した遊技球は、当該縦筒部２７ａ及び横筒部２７ｂにより案内されて、その延出端開口部２７ｄから案内通路４０ｃ内に開口部４６ｆを通り進入する。そして、このように進入した遊技球は、案内通路４０ｃにより案内されて球送り装置２０ｄによりその導入口部２６ｃから導入されて、上述と同様に、球発射装置２０ｃに送られる。
【０１４５】
また、上述のように発射された遊技球が、案内通路２３を通り遊技領域２４内に案内されると、当該遊技球は、遊技領域２４内にて遊技盤２０ａの盤面に沿い下方へ向けて転動していく。
【０１４６】
ここで、当該遊技球が入賞口２４ｂに入賞すると、当該入賞遊技球は、遊技盤２０ａの後面に沿い落下して受け皿２０ｈ内に収容される。また、上述のように下方に向けて転動する遊技球が、いずれの入賞口にも入賞することなく、アウト口２４ａに達した場合には、当該遊技球は、アウト球として、遊技盤２０ａの後面から受け皿２０ｈ内に収容される。
【０１４７】
しかして、このように受け皿２０ｈ内に収容された遊技球は、当該受け皿２０ｈの底壁中央開口部から排出路２４ｃ内に排出されて球移送装置Ｓ３の案内通路台６０の右側底壁部６１上に導入口部６１ａを通して導入される。なお、導入口部６１ａを通して導入される遊技球は、遊技者の持ち球ではなく、ホール側の所有遊技球であるため、検出されることはない。
【０１４８】
また、以上の遊技状態において、当該遊技球循環型遊技システムによる遊技を終了するにあたっては、遊技者が、上記球抜き操作ボタンスイッチを操作すれば、回壁機構４０ｆにおいて、機構本体４７ａが制御装置２０ｅによる制御のもとに、ソレノイドＳＬの励磁によりプランジャーＰを上記ヨーク内に吸引する。
【０１４９】
これに伴い、プランジャーＰが、上記ヨーク内に上記付勢スプリングに抗して軸動して後退し、レバー４７ｂが、コイルスプリング４７ｃの付勢力に基づき、図２８にて図示時計方向に傾動し、開閉板３７ｄが、図２８にて図示右方へ移動して、案内通路４０ｃの長手方向他端開口部４６ｅの下部を開く（図２９参照）。
【０１５０】
このため、払い出し通路４３及び案内通路４０ｃ内に残存する各遊技球が、玉送り装置２０ｄの球導入口部２６ｃに達することなく、抜き出され、案内通路４０ｃの長手方向他端開口部４６ｅから排出通路４０ｇ内に落下して当該排出通路４０ｇにより案内されて、受け部材本体２８の底壁２８ａ上に落下する。
【０１５１】
このように落下する遊技球は、ファウル球と同様に、底壁２８ａから案内通路台６０の右側壁部上に球同級口部６１ｂを通り導入される。但し、当該遊技球は、
ファウル球と同様に遊技者の所有に帰すべきものであるから、ファウル球と同様に、上記ファウル球センサにより検出されて、上記カードに書き込まれる。
【０１５２】
以上説明したように、本実施形態においては、球タンク５０が、遊技機本体２０に対しその上下方向中央部の下側近傍に位置するように設けられている。しかも、これにあわせて、揚送装置７０、特に揚送機構７０ｃが、その高さにて、球タンク５０の位置に基づき低くなるように構成されている。
【０１５３】
従って、揚送機構７０ｃによる案内通路台６０から球タンク５０までの遊技球に対する揚送構成をより一層コンパクトにすることができるのは勿論のこと、遊技球が案内通路台６０から球タンク５０に達するまでの遊技球に対する揚送距離及び揚送時間が大幅に短縮され得るため、遊技機による遊技が円滑になされ得る。
【０１５４】
また、上述のように遊技球に対する揚送距離が短縮されるため、揚送過程における遊技球の汚れや摩耗等による劣化をより一層抑制することができるのは勿論のこと、揚送機構７０ｃにより案内通路台６０から球タンク５０まで揚送される遊技球の個数がより一層少なくて済み、便利である。
【０１５５】
また、上述したように、球払い出し装置４０が、通路部材４０ｂ及び案内通路４０ｃを備えており、通路部材４０ｂが、払い出し通路４３と、この払い出し通路４３の横方向拡大収容部Ｅａから分岐する分岐通路４４とでもって構成されている。
【０１５６】
これにより、払い出し部材４０ａから払い出し通路４３内に払い出される遊技球は、順次、横方向拡大収容部Ｅａを通り案内通路４０ｃに案内されることとなるが、横方向拡大収容部Ｅａ内に達する遊技球が多すぎるときには、遊技球は、外れ球として、横方向拡大収容部Ｅａの開口部４３ｇから分岐通路４４内に分岐して案内通路台６０内にその導入口部６１ｃから導入される。
【０１５７】
従って、現段階にて遊技に使用可能な数の遊技球が案内通路４０ｃに案内され、一方、余分な遊技球は、分岐通路から案内通路台６０内に導入されるので、パチンコ遊技機Ｓ１による遊技が円滑に行われ得る。
【０１５８】
換言すれば、払い出し部材４０ａが、従来のように分岐通路４４及び横方向拡大収容部Ｅａを設けることなく、単なる従来通路のみで構成されている場合には、払い出された遊技球が上記従来通路を通り案内通路４０ｃにより案内されて球送り装置２０ｄに達することとなる。しかしながら、球送り装置２０ｄの球送りは、遊技球１個ずつなされることから、上記従来通路内に払い出される遊技球の数が多すぎると、遊技球が、当該従来通路だけでなく案内通路４０ｃ内に滞留して球噛みを生じ、その結果、球送り装置２０ｄの球送り動作が適正になされず、遊技者による円滑な遊技に支障をきたすこととなる。
【０１５９】
これに対し、上記従来通路における遊技球の通路断面積を広くすることも考えられるが、このようなことは、一般に、パチンコ遊技機において確保し得るスペースが通常狭いことから、不向きで現実的ではない。
【０１６０】
しかしながら、本実施形態では、上述のように払い出し部材４０ａが分岐通路４４及び横方向拡大収容部Ｅａを有するように構成されているから、上述のような球噛みを生ずることなく、球送り装置２０ｄの球送り動作が適正になされ得る。
【０１６１】
また、このようなことは、本実施形態のように封入式の遊技球循環型遊技システムにおいて、封入される遊技球の数が決まっていることから、上述のような球噛みを未然に防止して円滑な遊技を維持し得ることで、特に、有効である。
【０１６２】
なお、本実施形態のように封入式の遊技球循環型遊技システムではなく、遊技者が遊技球に触れることができる構成の遊技球循環型遊技システムの場合には、遊技者が、上述のような球噛みをわざわざ崩すことで、遊技の円滑さを維持することになる。このようなことは、遊技者にとって面倒なことで避けるべきである。
【０１６３】
ここで、案内通路台６０内にその導入口部６１ｃから導入される遊技球は、上述のごとく、外れ球センサーにより検出されて、持ち球管理装置Ｓ２のカード処理装置によりカードに遊技者の持ち球として加算記憶される。従って、持ち球管理装置Ｓ２による遊技者の持ち球の管理が正しくなされ得る。
【０１６４】
また、上述ように構成したパチンコ遊技機Ｓ１、持ち球管理装置Ｓ２及び球移送装置Ｓ３でもって、遊技球循環型遊技システムを構成することで、当該遊技球循環型遊技システムは、パチンコ遊技機Ｓ１、持ち球管理装置Ｓ２及び球移送装置Ｓ３の各作用効果を相乗的に達成し得るシステムとして提供され得る。
【０１６５】
なお、本発明の実施にあたり、上記実施形態に限ることなく、次のような種々の変形例が挙げられる。
（１）本発明の実施にあたり、上記実施形態にて述べた球払い出し装置４０において、通路部材４０ｂの払い出し通路４３は、案内通路４０ｃと一体的に形成されていてもよい。
（２）本発明の実施にあたり、球タンク５０は上記実施形態にて述べた位置に限ることなく、遊技機本体２０の高さ方向中央部等の高さ方向中間部位に当該遊技機本体２０の後面に設けるようにしてもよい。この場合、揚送装置７０の揚送機構７０ｃは、球タンク５０と同等の高さ以下にて構成すればよい。  これによっても、上記実施形態と実質的に同様の作用効果を達成することができる。
（３）本発明の実施にあたり、上記実施形態にて述べた揚送装置７０は、球タンク５０内に揚送するのではなく、遊技球を球タンク５０内に移送するように構成してもよい。この場合、揚送装置７０及び揚送機構７０ｃは、それぞれ、移送装置及び移送機構として構成する。これによっても、上記実施形態と実質的に同様の作用効果を達成することができる。
（４）本発明の実施にあたり、上記実施形態にて述べた上記外れ球センサ及び上記ファウル球センサは、それぞれ、導入口部６１ａ及び導入口部６１ｂに付設されていなくてもよく、これら外れ球センサ及びファウル球センサは、外れ球及びファウル球の球タンク５０までの書く移送経路のどこかに設けられていてもよい。なお、外れ球及びファウル球の球タンク５０までの各移送経路は、球案内台６０及び球揚送装置７０において、相互に区別し得るように、構成する。
（５）本発明の実施にあたり、上記実施形態にて述べたように遊技球が案内通路４０ｃ内に所定数（例えば、４０個）溜まるように案内通路４０ｃが構成されていることを前提として、案内通路４０ｃ内の遊技球が例えば９個に減少したとき、これをセンサ（図示しない）により検出し、球払い出し装置４０が、当該センサの検出に基づき、球タンク５０からの遊技球を払い出し通路４３内に遊技球を払い出すようにしてもよい。
（６）本発明の実施にあたり、上記実施形態にて述べた通路部材４０ｂは、分岐通路４４を、開口部４３ｇのみで構成し、この開口部４３ｇからの遊技球を案内通路台６０にその導入口部６１ｃから排出するようにしてもよい。
（７）本発明の実施にあたり、上記実施形態にて述べたパチンコ遊技機Ｓ１は、封入式（或いは循環式）パチンコ遊技機に限ることなく、一般的なパチンコ遊技機や回胴式遊技機等の各種遊技機であってもよい。
【符号の説明】
【０１６６】
２０…遊技機本体、２０ａ…遊技盤、２０ｃ…球発射装置、
２０ｄ…球送り装置、２４ａ…アウト口、４０ａ…払い出し部材、
４０ｂ…通路部材、４０ｃ…案内通路、４３…払い出し通路、
４４…分岐通路、５０…球タンク、７０…揚送装置、Ｅａ…横方向拡大収容部、
Ｓ１…遊技機、Ｓ２…球管理装置、Ｓ３…球移送装置。
【図１】
2013111307.tif 000003
【図２】
2013111307.tif 000004
【図３】
2013111307.tif 000005
【図４】
2013111307.tif 000006
【図５】
2013111307.tif 000007
【図６】
2013111307.tif 000008
【図７】
2013111307.tif 000009
【図８】
2013111307.tif 000010
【図９】
2013111307.tif 000011
【図１０】
2013111307.tif 000012
【図１１】
2013111307.tif 000013
【図１２】
2013111307.tif 000014
【図１３】
2013111307.tif 000015
【図１４】
2013111307.tif 000016
【図１５】
2013111307.tif 000017
【図１６】
2013111307.tif 000018
【図１７】
2013111307.tif 000019
【図１８】
2013111307.tif 000020
【図１９】
2013111307.tif 000021
【図２０】
2013111307.tif 000022
【図２１】
2013111307.tif 000023
【図２２】
2013111307.tif 000024
【図２３】
2013111307.tif 000025
【図２４】
2013111307.tif 000026
【図２５】
2013111307.tif 000027
【図２６】
2013111307.tif 000028
【図２７】
2013111307.tif 000029
【図２８】
2013111307.tif 000030
【図２９】
2013111307.tif 000031
【図３０】
2013111307.tif 000032
【図３１】
2013111307.tif 000033
【図３２】
2013111307.tif 000034
【図３３】
2013111307.tif 000035
【図３４】
2013111307.tif 000036
【図３５】
2013111307.tif 000037
【図３６】
2013111307.tif 000038
【手続補正書】
【提出日】平成25年1月25日(2013.1.25)
【手続補正１】
【補正対象書類名】特許請求の範囲
【補正対象項目名】請求項１
【補正方法】変更
【補正の内容】
【請求項１】
球発射装置から発射される遊技球を、再び前記球発射装置に戻るように揚送装置を介し循環させる遊技球循環型遊技システムに適用されて、前記球発射装置、球タンク及び遊技盤を有する遊技機本体を具備してなる遊技機において、
前記球タンクは、前記遊技機本体の高さ方向中間部位に対応して位置するように設けられており、
前記揚送装置は、その揚送方向に並ぶ複数列の揚送片により、その列ごとに、前記球発射装置から発射されて前記遊技盤を介し排出される遊技球を受け取って前記球タンクまで揚送することを特徴とする遊技球循環型遊技システムのための遊技機。
【手続補正２】
【補正対象書類名】特許請求の範囲
【補正対象項目名】請求項４
【補正方法】変更
【補正の内容】
【請求項４】
請求項１〜３のいずれか１つに記載の遊技球循環型遊技システムのための遊技機を備えており、
前記揚送装置は、前記遊技機本体の前記遊技盤の下部に設けたアウト口から排出される遊技球を、前記複数列の揚送片により、その列ごとに受け取って前記球タンクまで揚送するようにした遊技球循環型遊技システム。
【手続補正３】
【補正対象書類名】明細書
【補正対象項目名】００１０
【補正方法】変更
【補正の内容】
【００１０】
上記課題の解決にあたり、本発明は、請求項１の記載によれば、
球発射装置（２０ｃ）から発射される遊技球を、再び球発射装置に戻るように揚送装置（７０）を介し循環させる遊技球循環型遊技システムに適用されて、球発射装置、球タンク（５０）及び遊技盤（２０ａ）を有する遊技機本体（２０）を具備してなる遊技機において、
球タンクは、遊技機本体の高さ方向中間部位に対応して位置するように設けられており、
揚送装置は、その揚送方向に並ぶ複数列の揚送片（７３ｄ）により、その列ごとに、球発射装置から発射されて遊技盤を介し排出される遊技球を受け取って球タンクまで揚送することを特徴とする遊技球循環型遊技システムのための遊技機である。
【手続補正４】
【補正対象書類名】明細書
【補正対象項目名】００１１
【補正方法】変更
【補正の内容】
【００１１】
このように、球タンクは、遊技機本体の高さ方向中間部位に対応して位置するように設けられている。また、揚送装置が、球発射装置から発射されて遊技盤を介し排出される遊技球を、上記複数列の揚送片により、その列ごとに受け取って前記球タンクまで揚送するようになっている。
従って、球タンクまでの遊技球の揚送距離及び揚送時間を大幅に短縮することができる。このことは、球タンクへの揚送遊技球を少なくすることができて、遊技に利用する遊技球の数を多すぎないように適正数に抑制し得ることを意味する。
【手続補正５】
【補正対象書類名】明細書
【補正対象項目名】００１７
【補正方法】変更
【補正の内容】
【００１７】
また、本発明は、請求項４の記載によれば、
請求項１〜３のいずれか１つに記載の遊技球循環型遊技システムのための遊技機を備えており、
揚送装置は、遊技機本体の遊技盤の下部に設けたアウト口から排出される遊技球を、複数列の揚送片により、その列ごとに受け取って球タンクまで揚送するようにした遊技球循環型遊技システムである。
【手続補正６】
【補正対象書類名】明細書
【補正対象項目名】００１８
【補正方法】変更
【補正の内容】
【００１８】
これによれば、揚送装置は、遊技機の下部から排出される遊技球を球タンクへ揚送する構成で済むので、当該揚送装置による遊技球の揚送距離及び揚送時間が、遊技に利用する遊技球の数を多すぎないように適正数に抑制しつつ、短縮され得る。その結果、遊技機による遊技が円滑になされ得る。
【手続補正７】
【補正対象書類名】明細書
【補正対象項目名】００１９
【補正方法】変更
【補正の内容】
【００１９】
本発明によれば、球タンクは、遊技機本体の高さ方向中間部位に対応して位置するように設けられている。また、揚送装置が、球発射装置から発射されて遊技盤を介し排出される遊技球を、上記複数列の揚送片により、その列ごとに受け取って球タンクまで揚送するようになっている。従って、球タンクまでの遊技球の揚送距離及び揚送時間を、遊技に要する遊技球の数を少なくしつつ、大幅に短縮することができる。